(57)【要約】【課題】チャッキングが解除された状態でどのような方向の振動や衝撃等の外力が作用しても、光ピックアップのロックが解除されない光ディスク装置を提供することである。【解決手段】光ディスク装置は、ローダーシャーシ側挿嵌部２１ａを有するローダーシャーシ２１と、第１ラック２９とそれに設けられた光ピックアップ側挿嵌部２９ａとを有するＯＰＵ４と、第２ラックを有するトレイと、ＯＰＵ４を搭載し、ローダーシャーシ２１に取り付けられるトラバースシャーシ２６と、第３ラック２３ａを有し、トレイの動作に連動してトラバースシャーシ２６をチャッキング位置とアンチャッキング位置との間で揺動させるカムスライダー２３と、駆動モーターの駆動力を第１〜第３ラックに伝達する駆動力伝達歯車機構２４と、を備え、光ディスクのアンチャッキング状態でローダーシャーシ側挿嵌部２１ａと光ピックアップ側挿嵌部２９ａが挿嵌される構成とする。【選択図】図３Ａ
2014044765.tif 000002
【特許請求の範囲】
【請求項１】
ローダーシャーシ側挿嵌部を有するローダーシャーシと、
光ピックアップと、第１ラックと、該第１ラックに設けられた光ピックアップ側挿嵌部と、を有する光ピックアップユニットと、
第２ラックを有し、排出位置と収納位置の間を移動するトレイと、
前記光ピックアップユニットを搭載し、前記ローダーシャーシに取り付けられるトラバースシャーシと、
第３ラックを有し、前記トレイの動作に連動して前記トラバースシャーシをチャッキング位置とアンチャッキング位置との間で揺動させるカムスライダーと、
駆動モーターの駆動力を前記第１〜第３ラックに伝達する駆動力伝達歯車機構と、を備え、
光ディスクのアンチャッキング状態では、前記ローダーシャーシ側挿嵌部と前記光ピックアップ側挿嵌部とが挿嵌されており、
光ディスクのチャッキング状態では、前記ローダーシャーシ側挿嵌部と前記光ピックアップ側挿嵌部とが離脱していることを特徴とする光ディスク装置。
【請求項２】
前記ローダーシャーシ側挿嵌部が突起部、前記光ピックアップ側挿嵌部が貫通孔であることを特徴とする請求項１記載の光ディスク装置。
【請求項３】
前記ローダーシャーシ側挿嵌部と前記光ピックアップ側挿嵌部とが挿嵌された状態では、前記貫通孔から突出している前記突起部の先端側の突出部を有することを特徴とする請求項２記載の光ディスク装置。
【請求項４】
光ディスクのアンチャッキング状態では、前記第１ラックの一部が前記カムスライダーの一部に対向し、その離間距離が前記突出部の長さより短いことを特徴とする請求項３記載の光ディスク装置。
【請求項５】
前記カムスライダーの一部が前記第３ラックであることを特徴とする請求項４記載の光ディスク装置。
【発明の詳細な説明】
【技術分野】
【０００１】
本発明は、ＢＤ（Blu-ray Disc）、ＤＶＤ（Digital Versatile Disc）等の光ディスクに対して記録／再生を行う光ディスク装置に関する。
【背景技術】
【０００２】
従来から、光ディスクを再生したり、光ディスクに記録したりする光ディスク装置において、様々な形態が提案されている。その形態の一つとして、メインシャーシと、光ディスクが載置されるトレイと、光ピックアップ及びターンテーブルが搭載されたトラバースシャーシと、トラバースシャーシを上下に揺動させるカムスライダーと、駆動モーターと、駆動モーターの駆動力を光ピックアップのラック、トレイのラック、カムスライダーのラックに伝達するギアとを有する光ディスク装置がある。
【０００３】
この光ディスク装置におけるトレイを閉鎖する際の動作について以下説明する。トレイが排出位置にあるときに、駆動モーターからの駆動力がギアを介してトレイのラックに伝達されると、トレイは収納位置に向かって移動する。その後駆動モーターの駆動力はカムスライダーのラックにも伝達され、トラバースシャーシを上昇させる。
【０００４】
なお、トレイが排出位置にあるとき及びトレイが移動中であるときは、光ピックアップのラックの係合部とメインシャーシの係合部が係合して光ピックアップのラックとギアが噛合しない。これによってトレイが収納位置に到達する前に駆動モーターの駆動力が光ピックアップのラックに伝達されることはなく、光ピックアップの移動が制限されている。
【０００５】
一方、トレイが収納位置に到達し、トラバースシャーシが最も高い位置に到達すると、ターンテーブルに光ディスクがチャッキングされる。また、同時に光ピックアップのラックの係合部とメインシャーシの係合部の係合が外れ（光ピックアップのロックが解除され）、光ピックアップのラックと光ピックアップのラックに駆動モータの駆動力を伝達するギアが噛合する。
【０００６】
これによって駆動モーターの駆動力が光ピックアップのラックに伝達される。トレイには光ディスクの情報記録面を露出させるための開口が形成されており、光ピックアップはトレイの開口内を光ディスクの径方向に移動することでトレイに干渉することなく所定の位置まで移動可能である。すなわち、通常状態において光ピックアップはトレイが収納位置に至った後（より詳細には、トレイが収納位置に至り、トラバースシャーシが上昇した後）に、光ディスクの径方向に移動するものである。
【０００７】
しかしながら、トレイが排出位置にあるときや移動中であるとき（すなわち光ディスクのチャッキングが解除されているとき）であっても、振動、衝撃等の外力に起因して光ピックアップのラックの係合部とメインシャーシの係合部の係合が外れてしまうことがある。この場合、トレイが収納位置に到達していないにも関わらず、駆動モーターの駆動力が光ピックアップに伝達され、トレイの移動とともに、光ピックアップが移動することになる。
【０００８】
その場合、光ピックアップが先に所定の位置に到達するので、トレイが収納位置に到達する前にトレイの移動が終了されてしまうという問題があった。
【０００９】
ところで特許文献１の光ディスク装置は、ターンテーブルに対して光ピックアップが離反しないように光ピックアップを当止するストッパー（ロック解除防止手段）を備えている。これによって光ディスクのチャッキングが解除された状態で、振動や衝撃等の外力によって光ピックアップのロックが外れるのを防いでいる。
【先行技術文献】
【特許文献】
【００１０】
【特許文献１】特開２００７−２４２１０９号公報
【発明の概要】
【発明が解決しようとする課題】
【００１１】
具体的に特許文献１では、光ディスクのチャッキングが解除された状態において、ロック解除防止手段が光ピックアップのラックの後端部を当止することで、振動や衝撃によって光ピックアップが後方に移動することを防止している。この構造によれば、前後方向の振動や衝撃によってロックが外れることはない。しかし、左右方向の振動や衝撃は考慮されていない。また、光ピックアップのラック側の構造は特には工夫されていない。
【００１２】
本発明は、光ディスクのチャッキングが解除された状態でどのような方向の振動や衝撃等の外力が作用しても、光ピックアップのロックが解除されない光ディスク装置を提供することを目的とする。
【課題を解決するための手段】
【００１３】
上記目的を達成するために本発明の光ディスク装置は、ローダーシャーシ側挿嵌部を有するローダーシャーシと、光ピックアップと、第１ラックと、該第１ラックに設けられた光ピックアップ側挿嵌部と、を有する光ピックアップユニットと、第２ラックを有し、排出位置と収納位置の間を移動するトレイと、前記光ピックアップユニットを搭載し、前記ローダーシャーシに取り付けられるトラバースシャーシと、第３ラックを有し、前記トレイの動作に連動して前記トラバースシャーシをチャッキング位置とアンチャッキング位置との間で揺動させるカムスライダーと、駆動モーターの駆動力を前記第１〜第３ラックに伝達する駆動力伝達歯車機構と、を備え、光ディスクのアンチャッキング状態では、前記ローダーシャーシ側挿嵌部と前記光ピックアップ側挿嵌部とが挿嵌されており、光ディスクのチャッキング状態では、前記ローダーシャーシ側挿嵌部と前記光ピックアップ側挿嵌部とが離脱していることを特徴とする。
【００１４】
この構成によると、光ディスクのアンチャッキング状態では、ローダーシャーシ側挿嵌部と光ピックアップ側挿嵌部とが挿嵌されて光ピックアップユニットがロックされているので、どのような方向の振動や衝撃等の外力が作用しても、光ピックアップユニットのロックは解除されない。
【００１５】
上記の光ディスク装置において、簡易で低コストな具体例として、例えば、前記ローダーシャーシ側挿嵌部が突起部、前記光ピックアップ側挿嵌部が貫通孔であればよい。
【００１６】
上記の光ディスク装置において、外力によって挿嵌部分が外れにくくするために、前記ローダーシャーシ側挿嵌部と前記光ピックアップ側挿嵌部とが挿嵌された状態では、前記貫通孔から突出している前記突起部の先端側の突出部を有することが望ましい。
【００１７】
上記の光ディスク装置において、光ディスクのアンチャッキング状態では、前記第１ラックの一部が前記カムスライダーの一部に対向し、その離間距離が前記突出部の長さより短いことが望ましい。これにより、上下方向の外力に対して、よりロックが解除されにくくなる。
【００１８】
上記の光ディスク装置において、例えば、前記カムスライダーの一部は前記第３ラックであってもよい。
【図面の簡単な説明】
【００１９】
【図１】本発明の一実施形態の光ディスク装置の構成を示すブロック図である。
【図２Ａ】光ディスク装置におけるアンチャッキング状態のドライブ装置の要部構成の平面図である。
【図２Ｂ】光ディスク装置におけるチャッキング状態のドライブ装置の要部構成の平面図である。
【図２Ｃ】光ディスク装置におけるチャッキング状態で光ピックアップユニットが移動中のドライブ装置の要部構成の平面図である。
【図３Ａ】図２Ａの斜視図である。
【図３Ｂ】図２Ｂの斜視図である。
【図３Ｃ】図２Ｃの斜視図である。
【図４Ａ】図３Ａからローダーシャーシ及び光ピックアップユニットのラックを抜粋した図である。
【図４Ｂ】図３Ｂからローダーシャーシ及び光ピックアップユニットのラックを抜粋した図である。
【図４Ｃ】図３Ｃからローダーシャーシ及び光ピックアップユニットのラックを抜粋した図である。
【発明を実施するための形態】
【００２０】
以下、光ディスク装置を横置き（水平姿勢）に設置した状態、すなわち光ディスクのレーベル面が上向きで水平に収納、排出される状態を基準に説明する。光ディスクが排出される側を前側、前側に向かって右手を右側、前側に向かって左手を左側と定義する。また、光ディスクが排出・収納される方向を前後方向、光ディスクのレーベル面と平行で前後方向に直交する方向を左右方向、前後方向及び左右方向に直交する方向を上下方向と定義する。
【００２１】
図１は、本発明の一実施形態の光ディスク装置の構成を示すブロック図である。光ディスク装置１は、光ディスク１５の情報の再生、及び光ディスク１５への情報の記録を行うことができる。２は、スピンドルモーターであり、光ディスク１５は、このスピンドルモーター２の上部に設けられるチャック部（ターンテーブル及びクランパー）に着脱可能に保持される。そして、光ディスク１５の情報の記録再生を行う際に、スピンドルモーター２は光ディスク１５を連続回転する。スピンドルモーター２の回転制御は、スピンドルモーター制御部３によって行われる。
【００２２】
４は、光ピックアップユニット（ＯＰＵ）であり、光源から出射される光ビームを光ディスク１５に照射し、光ディスク１５への情報の書き込みと、光ディスク１５に記録されている情報の読み取りを可能とする。
【００２３】
信号処理部８は、少なくともＲＦ信号処理部９とトラックエラー信号処理部１０とフォーカスエラー信号処理部１１とを含んでいる。そして、この信号処理部８において、光検出器（不図示）で変換された電気信号に基づいて、ＲＦ信号、トラックエラー信号（ＴＥ信号）、フォーカスエラー信号（ＦＥ信号）を生成する。ＲＦ信号はデータ復調部１２でデータに復調される。
【００２４】
ＴＥ信号及びＦＥ信号は、アクチュエータ制御部７に出力される。アクチュエータ制御部７は、これらの信号に基づいて、対物レンズを移動可能とする図示しないアクチュエータに駆動信号を供給する。駆動信号が供給されたアクチュエータは、信号に基づいて各部を作動させて、対物レンズを光軸と平行な方向に移動して、光ディスク１５の記録面にフォーカスを追従させるフォーカス制御や対物レンズを光ディスク１５の半径方向と平行な方向に移動して光ビームのスポット位置を光ディスク１５に形成されるトラック位置に追従させるトラッキング制御を行う。
【００２５】
その他、レーザ制御手段５は、ＯＰＵ４に備えられる半導体レーザから成る光源（不図示）のレーザ出力を制御する。また、全体制御部１３は、スピンドルモーター制御部３、レーザ制御部５、ビームエキスパンダ制御部６、アクチュエータ制御部７、信号処理部８、及びデータ復調部１２等を制御して、装置全体のコントロールを行う。
【００２６】
図２Ａは光ディスク装置１におけるアンチャッキング状態のドライブ装置の要部構成の平面図、図２Ｂは光ディスク装置１におけるチャッキング状態のドライブ装置の要部構成の平面図、図２Ｃは光ディスク装置１におけるチャッキング状態で光ピックアップユニットが移動中のドライブ装置の要部構成の平面図である。
【００２７】
図３Ａは図２Ａの斜視図、図３Ｂは図２Ｂの斜視図、図３Ｃは図２Ｃの斜視図である。図４Ａは図３Ａからローダーシャーシ及び光ピックアップユニットのラックを抜粋した図、図４Ｂは図３Ｂからローダーシャーシ及び光ピックアップユニットのラックを抜粋した図、図４Ｃは図３Ｃからローダーシャーシ及び光ピックアップユニットのラックを抜粋した図である。
【００２８】
光ディスク装置１は外観を形成する装置本体の筐体内にドライブ装置２０を収容している。ドライブ装置２０は、ドライブ装置２０の各部材を収容するローダーシャーシ２１と、光ディスクを載置して搬送するトレイ（不図示）と、光ディスクの搬送方向（前後方向）に略垂直な方向（上下方向）に揺動（旋回）して昇降可能なトラバースアッシー２２と、左右方向に移動してトラバースアッシー２２を昇降（上下動）させるカムスライダー２３と、駆動モーター（不図示）と、駆動モーターの駆動力をトレイ、ＯＰＵ４、カムスライダー２３にそれぞれ伝達する駆動力伝達歯車機構２４と、光ディスク１５をレーベル面側からチャッキングするクランパー（不図示）と、を備えている。
【００２９】
ローダーシャーシ２１は、平面視略四角形の筐体であり、例えば樹脂の一体成形品である。ローダーシャーシ２１は、その中央付近から後端にかけてトラバースアッシー２２を収容している。そして、ローダーシャーシ２１の中央付近にターンテーブル２８が配置され、ターンテーブルの後側にＯＰＵ４の光ピックアップ部分が配置されている。また、ローダーシャーシ２１は、前部（トラバースアッシー２２の前側）にカムスライダー２３を収容し、右部（トラバースアッシー２２の右側）に駆動力伝達歯車機構２４を収容している。
【００３０】
また、ローダーシャーシ２１は、前右部（カムスライダー２３と駆動力伝達歯車機構２４との間）にローダーシャーシ側挿嵌部２１ａを有している。このローダーシャーシ側挿嵌部２１ａは、後述する光ピックアップ側挿嵌部２９ａに挿嵌するものであり、本実施形態ではローダーシャーシ２１の底部から上方へ向かって突出した突起部である。そして、突起部は例えば角が面取りされた直方体からなる。
【００３１】
トレイは、第２ラック（不図示）を有し、排出位置と収納位置の間を移動するものである。第２ラックは、例えば、ラック部がトレイの下面右側部に沿って内向きに形成され、駆動力伝達歯車機構２４の１つのギアに噛合している。これにより、駆動モーターの駆動によってトレイが前後方向に移動する。
【００３２】
トラバースアッシー２２は、トラバースシャーシ２６と、ＯＰＵ４と、トラバースシャーシ２６に固定され、ＯＰＵ４を光ディスク１５の径方向（前後方向）に移動可能に支持するガイドシャフト２７と、トラバースシャーシ２６に固定された光ディスク１５回転用のスピンドルモーター２と、スピンドルモーター２の回転軸に挿嵌されたターンテーブル２８と、を備えている。また、ＯＰＵ４は、光ピックアップと、第１ラック２９とを有する。そして、第１ラック２９は光ピックアップ側挿嵌部２９ａを有する。
【００３３】
カムスライダー２３は、カム溝（不図示）と、第３ラック２３ａとを有し、左右方向に移動可能にローダーシャーシ２１に取り付けられている。カム溝は、正面視で水平に延びた高さの異なる２本の溝とそれらを繋ぐ斜めの溝とで構成され、トラバースシャーシ２６のボスに係合している。第３ラック２３ａはカムスライダーの上面右部にあり、後面に沿って左右方向にラック部が形成され、ラック部が駆動力伝達歯車機構２４の１つのギアに噛合可能となっている。
【００３４】
これにより、ラック部が駆動力伝達歯車機構２４に噛合すると、駆動モーターの駆動によってカムスライダー２３が左右方向に移動し、カム溝に沿ってボスが移動する。ボスは上下に移動することになるので、つまりトラバースアッシー２２が上下動することになる。カムスライダー２３は、トレイを駆動するのと同じ駆動モーターによって駆動されるので、トレイの動作に連動してトラバースアッシー２２をチャッキング位置とアンチャッキング位置との間で揺動させる。
【００３５】
また、第３ラック２３ａには凹部（不図示）が設けられている。この凹部は、後述する凸部２９ｂに係合するものであり、本実施形態では第３ラック２３ａの下面側に形成された湾曲した溝である。
【００３６】
駆動力伝達歯車機構２４は、複数のギア２４１〜２４４が順に噛合して構成される。そして、ギア２４１が駆動モーターの軸に固定されたウォームギアに噛合して駆動される。また、ギア２４１は第１ラック２９に、ギア２４３は第２ラックに、ギア２４４は第３ラック２３ａにそれぞれ噛合する。よって、１つの駆動モーターでトレイ、トラバースアッシー２２、ＯＰＵ４を駆動することができ、すなわち、光ディスクの搬送、チャッキング、アンチャッキング、光ピックアップの移動を行うことができる。
【００３７】
トラバースシャーシ２６は、例えば板金部材であり、その後端がローダーシャーシ２１に枢支され、その前端から突出したボスがカムスライダー２３のカム溝に係合している。これにより、トラバースシャーシ２６はカムスライダー２３の移動によってチャッキング位置とアンチャッキング位置との間で昇降される。
【００３８】
ガイドシャフト２７は、例えば金属棒であり、その前端付近と後端付近とがトラバースシャーシ２６に固定され、ＯＰＵ４を挿通して摺動可能に保持している。
【００３９】
ターンテーブル２８は、光ディスク１５を載置した状態で上昇することで、クランパーとによって光ディスク１５を挟持する部材であり、スピンドルモーター２の回転軸に固定されている。
【００４０】
第１ラック２９は、光ピックアップの右側に配置してＯＰＵ４の筐体に取り付けられている。第１ラック２９の右側面にはギア２４１に噛合可能なラック部がガイドシャフト２７と平行に形成されている。これにより、ラック部がギア２４１に噛合すると、駆動モーターの駆動によって第１ラック２９が前後方向に移動する。つまり、ＯＰＵ４が前後方向に移動する。第１ラック２９は、トレイを駆動するのと同じ駆動モーターによって駆動されるので、トレイの動作に連動して光ピックアップを移動させる。
【００４１】
光ピックアップ側挿嵌部２９ａは、ローダーシャーシ側挿嵌部２１ａに挿嵌するものであり、本実施形態では第１ラック２９を上下方向に貫通する貫通孔である。そして、貫通孔は平面視で例えばローダーシャーシ側挿嵌部２１ａの平面視形状にほぼ合致した矩形からなる。ローダーシャーシ側挿嵌部２１ａと光ピックアップ側挿嵌部２９ａとは光ディスクのアンチャッキング状態で挿嵌される。
【００４２】
ローダーシャーシ側挿嵌部２１ａと光ピックアップ側挿嵌部２９ａとが挿嵌された状態では、突起部の先端側が貫通孔から突出した突出部を有している。この突出部が十分な長さを有することで、挿嵌状態において上下方向の外力が加わった場合に挿嵌部分が外れることを防止できる。ここで十分な長さとは、第１ラック２９が振動したり撓んだりして上下動する長さより長ければよい。一方、長すぎると第１ラック２９の通常の動作を阻害してしまうので、第１ラックの前後方向の動作時に衝突しない長さでなければならない。
【００４３】
なお、ローダーシャーシ側挿嵌部２１ａと光ピックアップ側挿嵌部２９ａとは互いに挿嵌する形状であればその形状には特に限定はなく、例えば、上記の突起部と貫通孔とはそれぞれ逆の部材に形成されてもよい。そして、突起部と貫通孔は挿嵌できれば、その形状には限定はない。また、ローダーシャーシ側挿嵌部２１ａと光ピックアップ側挿嵌部２９ａとは、挿嵌した状態で挿嵌部分に隙間があることが望ましい。これにより、部材の寸法誤差や動作位置の誤差が生じても挿嵌可能となる。
【００４４】
また、第１ラック２９には凸部２９ｂが設けられている。この凸部２９ｂはカムスライダー２３の凹部に係合するものであり、本実施形態では第１ラック２９の上面の前端付近に形成された円柱型の突起である。凹部と凸部２９ｂとはトラバースアッシー２２がチャッキング位置に上昇してきたときに係合し、凸部２９ｂが凹部に沿って移動することで第１ラック２９が後方に少し移動し、第１ラック２９のラック部がギアに噛合するきっかけとなる。
【００４５】
また、光ディスクのアンチャッキング状態で第１ラック２９の一部（例えば、先端付近の上面又は凸部２９ｂ）がカムスライダー２３の一部（例えば、第３ラック２３ａの下面）に対向し、その離間距離が上記の突出部の長さより短くなっている。この構成により、上下方向の外力によって第１ラック２９が上下動した場合に、ローダーシャーシ側挿嵌部２１ａと光ピックアップ側挿嵌部２９ａとの挿嵌部分が外れる前にこの対向部分が衝突するので、挿嵌部分が外れることがない。
【００４６】
次に、上記の構成の光ディスク装置１の動作について説明する。トレイが排出位置にあるとき（図２Ａ、図３Ａ、図４Ａの状態）、駆動力伝達歯車機構２４においては、トレイの第２ラックとギア２４３が噛合しており、カムスライダー２３の第３ラック２３ａとギア２４４、及びＯＰＵ４の第１ラック２９とギア２４１は噛合していない。また、カムスライダー２３は左側で停止しており、トラバースアッシー２２は下がった状態（アンチャッキング位置）にある。また、ＯＰＵ４は最前側で停止しており、ローダーシャーシ側挿嵌部２１ａと光ピックアップ側挿嵌部２９ａとが挿嵌されている。
【００４７】
この状態でユーザーによりトレイに光ディスクが載置され、トレイ開閉釦（不図示）が押下されると、駆動モーターが駆動し、駆動力伝達歯車機構２４と繋がった状態にあるトレイが収納方向に移動する。
【００４８】
そして、トレイが収納位置に達する直前に、トレイの一部によってカムスライダー２３が右方向へ押され、第３ラック２３ａがギア２４４に噛合し、カムスライダー２３が右方向へ移動し始め、それに連動してトラバースアッシー２２が上昇し始め、光ピックアップ側挿嵌部２９ａがローダーシャーシ側挿嵌部２１ａから徐々に外れる。
【００４９】
トレイが収納位置に達すると、トレイの第２ラックとギア２４３との噛合が外れる。その後、トラバースアッシー２２がチャッキング位置に達すると、光ピックアップ側挿嵌部２９ａがローダーシャーシ側挿嵌部２１ａから完全に外れる。つまり、ロックが解除される。そして、同時に凸部２９ｂが凹部に係合する。
【００５０】
その後、凹部に沿って凸部２９ｂが移動することで、第１ラック２９が後方へ押され、第１ラック２９とギア２４１とが噛合し、ＯＰＵ４が後方へ移動し始める。まもなくカムスライダー２３の第３ラック２３ａとギア２４４との噛合が外れ、カムスライダー２３は右側で停止する。そして、ＯＰＵ４が所定位置に達すると、駆動モーターが停止し、記録・再生動作に移行する。また、光ディスクを取り出す際には上記と逆の動作が行われる。
【００５１】
このように、光ディスクのアンチャッキング状態では、ローダーシャーシ側挿嵌部２１ａと光ピックアップ側挿嵌部２９ａとが挿嵌されている（図２Ａ、図３Ａ、図４Ａ参照）。一方、光ディスクのチャッキング状態では、ローダーシャーシ側挿嵌部２１ａと光ピックアップ側挿嵌部２９ａとが離脱している（図２Ｂ、図２Ｃ、図３Ｂ、図３Ｃ、図４Ｂ、図４Ｃ参照）。
【００５２】
したがって、光ディスクのチャッキングが解除された状態（光ディスクのアンチャッキング状態）では、ローダーシャーシ側挿嵌部２１ａと光ピックアップ側挿嵌部２９ａとが挿嵌されてＯＰＵ４がロックされているので、どのような方向の振動や衝撃等の外力が作用しても、ＯＰＵ４のロックは解除されない。また、第１ラック２９の一部がカムスライダー２３の一部に対向しているので、上下方向の外力に対して、よりロックが解除されにくくなっている。また、カムスライダー２３のカム溝とトラバースアッシー２２のボスとの係合によっても上下方向にロックされているので、よりロックが解除されにくくなっている。
【００５３】
なお、上記の実施形態では、光ディスク装置を横置き（水平姿勢）に設置した状態について説明したが、本発明の光ディスク装置は縦置きに設置することもできる。
【産業上の利用可能性】
【００５４】
本発明は、ＢＤ、ＤＶＤ、ＣＤ（Compact Disc）等の光ディスクを再生する再生装置や光ディスクに記録することもできる記録再生装置をはじめとする光ディスク装置に利用することができる。例えば、ＢＤ・ＤＶＤプレーヤー、ＢＤ・ＤＶＤレコーダー、テレビ一体型ＢＤ・ＤＶＤレコーダー、ＢＤ・ＤＶＤ記録再生装置搭載のパーソナルコンピューターなどが挙げられる。
【符号の説明】
【００５５】
１  光ディスク装置
４  光ピックアップユニット
１５  光ディスク
２１  ローダーシャーシ
２１ａ  ローダーシャーシ側挿嵌部
２３  カムスライダー
２３ａ  第３ラック
２４  駆動力伝達歯車機構
２６  トラバースシャーシ
２９  第１ラック
２９ａ  光ピックアップ側挿嵌部
【図１】
2014044765.tif 000003
【図２Ａ】
2014044765.tif 000004
【図２Ｂ】
2014044765.tif 000005
【図２Ｃ】
2014044765.tif 000006
【図３Ａ】
2014044765.tif 000007
【図３Ｂ】
2014044765.tif 000008
【図３Ｃ】
2014044765.tif 000009
【図４Ａ】
2014044765.tif 000010
【図４Ｂ】
2014044765.tif 000011
【図４Ｃ】
2014044765.tif 000012